(57)【要約】      （修正有）【課題】非常に強い発光指向性を有する発光ダイオ−ドの光を囲繞状の透光性造影体に照射せしめて屈折・回析せしめつつ、周囲を明るく照した状態でもって造影体により造影される象形をスクリ−ン上に鮮明に投影せしめることが出来る、従来にない新しいタイプの影絵の表示装置を提供する。【解決手段】発光ダイオ−ド２の外側縁に透光性造影体３ａが囲繞状に設けられると共に、該造影体の前方に少なくとも半透明状のスクリ−ン４が配設されてなり、上記発光ダイオ−ド２の光を造影体に照射して屈折・回折せしめつつスクリ−ン４に反射せしめ、スクリ−ン４上に影絵を生起せしめるべく構成されている。【選択図】図１
2006071690.tif 000002
【特許請求の範囲】
【請求項１】
発光ダイオ−ドの外側縁に透光性造影体が囲繞状に設けられると共に、該造影体の前方に少なくとも半透明状のスクリ−ンが配設されてなり、上記発光ダイオ−ドの光を造影体に照射して屈回折せしめつつスクリ−ンに反射せしめ、スクリ−ン上に影絵を生起せしめることを特徴とする、影絵の表示装置。
【請求項２】
上記造影体が略筒状に形成されてなることを特徴とする、請求項１記載の影絵の表示装置。
【発明の詳細な説明】
【技術分野】
【０００１】
本発明は、影絵を利用した広告物、報知物、あるいは装飾物などに好適な影絵の表示装置に関する。
【背景技術】
【０００２】
従来より、光源を遮ぎる状態で所要の造影体をセットせしめ、造影体によって造影される象形をスクリ−ンに投影せしめて楽しむ影絵は知られている。
【０００３】
ところで、かかる影絵手法を利用したものとして、実開平３−１２６１９８号公報には
、影絵ユニットの後方に板状光源体を設置せしめ、それらを一体に組合せた影絵ユニットが開示されている。そして、上述の如く構成された従来例は、板状光源体の光を影絵ユニットに照射せしめ、影絵ユニットにより造影される象形をその前面の透明なスクリ−ン上に投影せしめて室内の装飾物として使用するものである。  
【０００４】
また、特開平１１−２４４５４７号公報には、一定の方向に向けて回動する光源から照射される光を遮ぎる状態で造影体をセットせしめ、造影体によって発生する影及び造影体を透過する光との統合で特定の象形をスクリ−ン上に投影せしめる影絵装置が開示されている。そして、上述の如く構成された従来例は、光源を回動せしめて照射位置を変化せしめつつ造影体に照射せしめ、造影体及びその影をスクリ−ン上に投影せしめることが出来るため、非常に興趣に富んだ影絵を生起せしめることが出来るものである。
【０００５】
さらに、特開２００１−６７０３４号公報には、光が照射される個所に広告文字や広告図案をなす広告物をセットせしめ、地面や床面などの上面に広告物の影絵を表示せしめる広告表示方法が開示されている。そして、上述の如く構成された従来例は、光源の光を広告文字や広告図案に照射せしめ、その象形を地面などのスクリ−ン上に投影せしめることにより広告機能を有効に発揮せしめるものである。
【特許文献１】実開平３−１２６１９８公報
【特許文献２】特開平１１−２４４５４７号公報
【特許文献３】特開２００１−６７０３４号公報
【発明の開示】
【発明が解決しようとする課題】
【０００６】
ところで、上述の如く構成された従来例は、光源を遮る状態で影絵ユニットや広告文字などの造影体をセットせしめ、造影体自体による光の屈折や回折を生じることなく単に造影体によって造影される象形をスクリ−ン上に投影せしめるものであるから、比較的複雑な形状の造影体を影絵状に投影せしめることが出来る反面、投影せしめた影絵のみならずその周囲が全体的に暗色を呈し、鮮明な影絵を生起せしめずらいものである。
【０００７】
本発明は従来例の問題点を解決しようとするもので、非常に強い発光指向性を有する発光ダイオ−ドの光を囲繞状の透光性造影体に照射せしめて屈回析せしめつつ、周囲を明るく照した状態でもって造影体により造影される象形をスクリ−ン上に鮮明に投影せしめることが出来る、従来にない新しいタイプの影絵の表示装置を提供するものである。
【課題を解決するための手段】
【０００８】
上記の目的を達成するため、本発明の請求項１記載の発明は、発光ダイオ−ドの外側縁に透光性造影体が囲繞状に設けられると共に、該造影体の前方に少なくとも半透明状のスクリ−ンが配設されてなり、上記発光ダイオ−ドの光を造影体に照射して屈回折せしめつつスクリ−ンに反射せしめ、スクリ−ン上に影絵を生起せしめることを特徴とする、影絵の表示装置を要旨とするものである。
【０００９】
上記請求項１記載の影絵の表示装置において、造影体は略筒状に形成されている。
【発明の効果】
【００１０】
本発明の請求項１記載の発明は上述のように構成されているから、発光指向性の非常に強い発光ダイオ−ドの光を囲繞状の造影体に照射して屈回折せしめつつ、造影体によって造影される象形をスクリ−ンに反射せしめ、スクリ−ン上に投影せしめることが出来るものであって、常に周囲を明色状態に照らしつつ造影体の影絵を黒色にくっきりと鮮明に生起せしめることが出来るものである。
【発明を実施するための最良の形態】
【００１１】
以下に、本発明を実施するための最良の形態を図面に示す一実施例に基づいて説明する
。
【実施例】
【００１２】
図１及び図２は本発明の一実施例を示すもので、同図中、１は基台、２は該基台１上に点灯自在に配設された発光ダイオ−ドで、該発光ダイオ−ド２としては赤色ダイオ−ド
、緑色ダイオ−ド、青色ダイオ−ド、あるいは白色ダイオ−ドを必要に応じて用いる。そして、かかる発光ダイオ−ド２は、その発光指向性が非常に強く、照射角度が１０〜８０度と非常に狭い性状を有するものである。３ａは上記発光ダイオ−ド２の外側縁に囲繞状に配設された所要の長さと厚さを有する四角筒状の透光性造影体で、該造影体３ａは透光性を有する合成樹脂やセラミックなど所要の材質により形成されている。４は上記造影体３ａの前方に所定間隔をおいて配設された略半透明状のスクリ−ンで、該スクリ−ン４は紙や合成樹脂など所要の材質により形成されている。その他、５は影絵、６は該影絵５の周縁部を示す。
【００１３】
次に、上述の如く構成された実施例の作動について説明する。
まず、発光ダイオ−ド２を点灯してその光を造影体３ａに照射せしめ、造影体３ａによる屈折・回折どうしを干渉させて四角な環状に造影せしめると共に、その象形をスクリ−ン４に投影せしめて四角な環状の影絵５を生起せしめる（図２参照）。このさい、発光指向性の非常に強い発光ダイオ−ド２を最大８０度の照射角度をもって造影体３ａに照射せしめるものであるから、発光ダイオ−ド２の外側縁に造影体３ａを囲繞せしめるにも拘らず、照射光の屈折・回折どうしの干渉により造影体３ａでもって造影される四角な環状の象形をくっきりと鮮明にスクリ−ン４上に投影して影絵５を生起せしめることが出来るのみならず、影絵５の周縁部を照らすことが出来るものであって、常に周縁部６を明色状態に照らしつつ造影体３ａの影絵５を鮮明に生起せしめることが出来るものである。
【００１４】
上述の如く構成された実施例は、従来例と同様に、広告物、報知物、あるいは装飾物などに適用せしめることが出来るものである。
【００１５】
なお、上記実施例において、造影体３ａは四角筒状とされているが、これに限定されるものでなく、例えば、大径部と小径部とよりなる変形筒状の造影体３ｂ（図３参照）、横断面図略星形状とされた筒状の造影体３ｃ（図４参照）、円筒状の造影体３ｄ（図５参照
）、あるいは、略テ−パ筒状の造影体３ｅ（図６）など、公知の形状の筒状体を採択使用することが出来る。また、造影体３ａ・３ｂ・３ｃ・３ｄ・３ｅは各々単一の筒状体とされているが、必要に応じて内外二重筒状や三重筒状など所要の筒状体に形成せしめてもよいものである。
また、スクリ−ン４は半透明状とされているが、不透明状に形成せしめてもよいものである。
【図面の簡単な説明】
【００１６】
【図１】本発明の一実施例を示す一部破砕断面図である。
【図２】実施例により造影体３ａの影絵５をスクリ−ン４上に生起せしめた状態を示す平面図である。
【図３】実施例の他の造影体３ｂを示す斜視図である。
【図４】実施例の他の造影体３ｃを示す斜視図である。
【図５】実施例の他の造影体３ｄを示す斜視図である。
【図６】実施例の他の造影体３ｅを示す斜視図である。
【符号の説明】
【００１７】
２  発光ダイオ−ド
３ａ．３ｂ．３ｃ．３ｄ．３ｅ  造影体
４  スクリ−ン
５  影絵
【図１】
2006071690.tif 000003
【図２】
2006071690.tif 000004
【図３】
2006071690.tif 000005
【図４】
2006071690.tif 000006
【図５】
2006071690.tif 000007
【図６】
2006071690.tif 000008